(57)【要約】【課題】  デジタル放送によって送信された楽曲の歌詞情報を保存して有効に再利用することができ、当該歌詞情報をカラオケ等の娯楽の機能にも活用することができる「歌詞情報取得システムおよびこれを備えた歌詞表示システムならびに歌詞情報取得方法およびこれを用いた歌詞表示方法」を提供すること。【解決手段】  デジタル放送において楽曲の歌詞情報を配信している放送を受信する際に、当該歌詞情報を自動的に記憶装置７に記録することによって、前記楽曲の歌詞情報を再利用可能な状態として取得可能とされていること。【選択図】      図１
2006040370.tif 000002
【特許請求の範囲】
【請求項１】
デジタル放送における楽曲の歌詞情報を配信している放送を受信する際に、当該歌詞情報を自動的に記憶装置に記録することによって、前記楽曲の歌詞情報を再利用可能な状態として取得可能とされていることを特徴とする歌詞情報取得システム。
【請求項２】
デジタル放送における楽曲の歌詞情報を配信している放送を受信する際に、当該歌詞情報および当該歌詞情報の表示の切り替わる時間を自動的に記憶装置に記録することによって、前記楽曲の歌詞情報を再利用可能な状態として取得可能とされていることを特徴とする歌詞情報取得システム。
【請求項３】
記憶装置に記録されている楽曲または現在再生されている楽曲と同一の楽曲の歌詞情報を配信するデジタル放送の番組が今後放送される予定があるか否かを検索可能とされ、
前記番組が放送される予定がある場合には、当該番組の放送の受信を予約するとともに、当該番組の放送を受信する際に、前記楽曲の歌詞情報を自動的に記憶装置に記録することによって、前記楽曲の歌詞情報を再利用可能な状態として取得可能とされていること
を特徴とする歌詞情報取得システム。
【請求項４】
記憶装置に記録されている楽曲または現在再生されている楽曲と同一の楽曲の歌詞情報を配信するデジタル放送の番組が今後放送される予定があるか否かを検索可能とされ、
前記番組が放送される予定がある場合には、当該番組の放送の受信を予約するとともに、当該番組の放送を受信する際に、前記楽曲の歌詞情報および当該歌詞情報の表示の切り替わる時間を自動的に記憶装置に記録することによって、前記楽曲の歌詞情報を再利用可能な状態として取得可能とされていること
を特徴とする歌詞情報取得システム。
【請求項５】
電子番組ガイドを用いて前記番組の放送の有無を検索可能とされていることを特徴とする請求項３または請求項４に記載の歌詞情報取得システム。
【請求項６】
前記デジタル放送において配信される楽曲の歌詞情報が既に取得されているか否かを判定し、取得されていない場合にのみ当該楽曲の歌詞情報を取得することを特徴とする請求項１、請求項３または請求項５のいずれか１項に記載の歌詞情報取得システム。
【請求項７】
前記デジタル放送において配信される楽曲の歌詞情報が既に取得されているか否かを判定し、取得されていない場合にのみ当該楽曲の歌詞情報および当該歌詞情報の表示の切り替わる時間を取得することを特徴とする請求項２、請求項４または請求項５のいずれか１項に記載の歌詞情報取得システム。
【請求項８】
デジタル放送における楽曲の歌詞情報を配信している放送を受信する際に、当該歌詞情報を自動的に記憶装置に記録することによって、前記楽曲の歌詞情報を再利用可能な状態として取得可能とされている歌詞情報取得システムを備え、
前記楽曲と同一の楽曲を再生する際に、前記記憶装置に記録されている歌詞情報を表示部に表示可能とされていること
を特徴とする歌詞表示システム。
【請求項９】
デジタル放送における楽曲の歌詞情報を配信している放送を受信する際に、当該歌詞情報および当該歌詞情報の表示の切り替わる時間を自動的に記憶装置に記録することによって、前記楽曲の歌詞情報を再利用可能な状態として取得可能とされている歌詞情報取得システムを備え、
前記楽曲と同一の楽曲を再生する際に、前記記憶装置に記録されている歌詞情報を表示部に表示可能とされ、かつ、前記表示部に前記歌詞情報を表示する際に、前記記憶装置に記録されている当該歌詞情報についての表示の切り替わる時間に応じて、当該歌詞情報の表示を切り換えることが可能とされていること
を特徴とする歌詞表示システム。
【請求項１０】
記憶装置に記録されている楽曲または現在再生されている楽曲と同一の楽曲の歌詞情報を配信するデジタル放送の番組が今後放送される予定があるか否かを検索可能とされ、
前記番組が放送される予定がある場合には、当該番組の放送の受信を予約するとともに、当該番組の放送を受信する際に前記楽曲の歌詞情報を自動的に記憶装置に記録することによって、前記楽曲の歌詞情報を再利用可能な状態として取得可能とされている歌詞情報取得システムを備え、
この取得した歌詞情報を前記楽曲を再生する際に表示部に表示可能とされていること
を特徴とする歌詞表示システム。
【請求項１１】
記憶装置に記録されている楽曲または現在再生されている楽曲と同一の楽曲の歌詞情報を配信するデジタル放送の番組が今後放送される予定があるか否かを検索可能とされ、
前記番組が放送される予定がある場合には、当該番組の放送の受信を予約するとともに、当該番組の放送を受信する際に前記楽曲の歌詞情報および当該歌詞情報の表示の切り替わる時間を自動的に記憶装置に記録することによって、前記楽曲の歌詞情報を再利用可能な状態として取得可能とされている歌詞情報取得システムを備え、
この取得した歌詞情報を前記楽曲を再生する際に表示部に表示可能とされ、かつ、前記表示部に前記歌詞情報を表示する際に、前記記憶装置に記録されている当該歌詞情報についての表示の切り替わる時間に応じて、当該歌詞情報の表示を切り換えることが可能とされていること
を特徴とする歌詞表示システム。
【請求項１２】
前記歌詞情報取得システムが、電子番組ガイドを用いて前記番組の放送の有無を検索可能とされていることを特徴とする請求項１０または請求項１１に記載の歌詞表示システム。
【請求項１３】
前記歌詞情報取得システムが、前記デジタル放送において配信される楽曲の歌詞情報が既に取得されているか否かを判定し、取得されていない場合にのみ当該楽曲の歌詞情報を取得することを特徴とする請求項８、請求項１０または請求項１２のいずれか１項に記載の歌詞表示システム。
【請求項１４】
前記歌詞情報取得システムが、前記デジタル放送において配信される楽曲の歌詞情報が既に取得されているか否かを判定し、取得されていない場合にのみ当該楽曲の歌詞情報および当該歌詞情報の表示の切り替わる時間を取得することを特徴とする請求項９、請求項１１または請求項１２のいずれか１項に記載の歌詞表示システム。
【請求項１５】
デジタル放送における楽曲の歌詞情報を配信している放送を受信する際に、当該歌詞情報を自動的に記憶装置に記録することによって、前記楽曲の歌詞情報を再利用可能な状態として取得すること
を特徴とする歌詞情報取得方法。
【請求項１６】
デジタル放送における楽曲の歌詞情報を配信している放送を受信する際に、当該歌詞情報および当該歌詞情報の表示の切り替わる時間を自動的に記憶装置に記録することによって、前記楽曲の歌詞情報を再利用可能な状態として取得すること
を特徴とする歌詞情報取得方法。
【請求項１７】
記憶装置に記録されている楽曲または現在再生されている楽曲と同一の楽曲の歌詞情報を配信するデジタル放送の番組が今後放送される予定があるか否かを検索し、
当該番組が放送される予定がある場合には、当該番組の放送の受信を予約するとともに、当該番組の放送を受信する際に前記楽曲の歌詞情報を自動的に記憶装置に記録することによって、前記楽曲の歌詞情報を再利用可能な状態として取得すること
を特徴とする歌詞情報取得方法。
【請求項１８】
記憶装置に記録されている楽曲または現在再生されている楽曲と同一の楽曲の歌詞情報を配信するデジタル放送の番組が今後放送される予定があるか否かを検索し、
当該番組が放送される予定がある場合には、当該番組の放送の受信を予約するとともに、当該番組の放送を受信する際に前記楽曲の歌詞情報および当該歌詞情報の表示の切り替わる時間を自動的に記憶装置に記録することによって、前記楽曲の歌詞情報を再利用可能な状態として取得すること
を特徴とする歌詞情報取得方法。
【請求項１９】
電子番組ガイドを用いて前記番組の放送の有無を検索することを特徴とする請求項１７または請求項１８に記載の歌詞情報取得方法。
【請求項２０】
前記デジタル放送において配信される楽曲の歌詞情報が既に取得されているか否かを判定し、取得されていない場合にのみ当該楽曲の歌詞情報を取得することを特徴とする請求項１５、請求項１７または請求項１９のいずれか１項に記載の歌詞情報取得方法。
【請求項２１】
前記デジタル放送において配信される楽曲の歌詞情報が既に取得されているか否かを判定し、取得されていない場合にのみ当該楽曲の歌詞情報および当該歌詞情報の表示の切り替わる時間を取得することを特徴とする請求項１６、請求項１７または請求項１９のいずれか１項に記載の歌詞情報取得方法。
【請求項２２】
デジタル放送における楽曲の歌詞情報を配信している放送を受信する際に、当該歌詞情報を自動的に記憶装置に記録することによって、前記楽曲の歌詞情報を
再利用可能な状態として取得し、
前記楽曲と同一の楽曲を再生する際に、前記記憶装置に記録されている歌詞情報を表示部に表示すること
を特徴とする歌詞表示方法。
【請求項２３】
デジタル放送における楽曲の歌詞情報を配信している放送を受信する際に、当該歌詞情報および当該歌詞情報の表示の切り替わる時間を自動的に記憶装置に記録することによって、前記楽曲の歌詞情報を
再利用可能な状態として取得し、
前記楽曲と同一の楽曲を再生する際に、前記記憶装置に記録されている歌詞情報を表示部に表示し、かつ、前記表示部に前記歌詞情報を表示する際に、前記記憶装置に記録されている当該歌詞情報についての表示の切り替わる時間に応じて、当該歌詞情報の表示を切り換えること
を特徴とする歌詞表示方法。
【請求項２４】
記憶装置に記録されている楽曲または現在再生されている楽曲と同一の楽曲の歌詞情報を配信するデジタル放送の番組が今後放送される予定があるか否かを検索し、
当該番組が放送される予定がある場合には、当該番組の放送の受信を予約するとともに、当該番組の放送を受信する際に前記楽曲の歌詞情報を自動的に記憶装置に記録することによって、前記楽曲の歌詞情報を再利用可能な状態として取得し、
この取得した歌詞情報を前記楽曲を再生する際に表示部に表示すること
を特徴とする歌詞表示方法。
【請求項２５】
記憶装置に記録されている楽曲または現在再生されている楽曲と同一の楽曲の歌詞情報を配信するデジタル放送の番組が今後放送される予定があるか否かを検索し、
当該番組が放送される予定がある場合には、当該番組の放送の受信を予約するとともに、当該番組の放送を受信する際に前記楽曲の歌詞情報および当該歌詞情報の表示の切り替わる時間を自動的に記憶装置に記録することによって、前記楽曲の歌詞情報を再利用可能な状態として取得し、
この取得した歌詞情報を前記楽曲を再生する際に表示部に表示し、かつ、前記表示部に前記歌詞情報を表示する際に、前記記憶装置に記録されている当該歌詞情報についての表示の切り替わる時間に応じて、当該歌詞情報の表示を切り換えること
を特徴とする歌詞表示方法。
【請求項２６】
電子番組ガイドを用いて前記番組の放送の有無を検索することを特徴とする請求項２４または請求項２５に記載の歌詞表示方法。
【請求項２７】
前記デジタル放送において配信される楽曲の歌詞情報が既に取得されているか否かを判定し、取得されていない場合にのみ当該楽曲の歌詞情報を取得することを特徴とする請求項２２、請求項２４または請求項２６のいずれか１項に記載の歌詞表示方法。
【請求項２８】
前記デジタル放送において配信される楽曲の歌詞情報が既に取得されているか否かを判定し、取得されていない場合にのみ当該楽曲の歌詞情報および当該歌詞情報の表示の切り替わる時間を取得することを特徴とする請求項２３、請求項２５または請求項２６のいずれか１項に記載の歌詞表示方法。
【発明の詳細な説明】
【技術分野】
【０００１】
本発明は、歌詞情報取得システムおよびこれを備えた歌詞表示システムならびに歌詞情報取得方法およびこれを用いた歌詞表示方法に係り、特に、楽曲を再生する際に、当該楽曲の歌詞情報を表示部に表示するのに好適な歌詞情報取得システムおよびこれを備えた歌詞表示システムならびに歌詞情報取得方法およびこれを用いた歌詞表示方法に関する。
【背景技術】
【０００２】
近年、従来のアナログ信号を用いた放送に取って代わり、デジタル信号を用いた放送技術およびサービスが展開・発展しつつある。
【０００３】
このようなデジタル信号を用いたデジタル放送サービスは、当初は海外で開始され、アメリカにおけるＸＭ、ＳＩＲＩＵＳおよびＨＤ−Ｒａｄｉｏや、ヨーロッパにおけるＤＡＢが知られていた。
【０００４】
近年は、日本においても、ＢＳデジタル放送および地上波デジタル放送が実用化され、さらに、衛星を使ったモバイル放送が近々開始される予定である。
【０００５】
これらのデジタル放送サービスにおいては、音声や映像がＭＰＥＧ２やＭＰＥＧ４等の圧縮方式にしたがった圧縮オーディオデータとして発信される他、文字情報もデータとして発信されるようになっている。
【０００６】
そのため、デジタル放送による音楽放送においては、放送されている楽曲のタイトル、アーティスト名、アルバム名または歌詞等の楽曲情報を受信することもできる。
【０００７】
また、デジタル放送においては、電子番組ガイド（以下、ＥＰＧ（Electronic Program Guide）と称する）を利用することができる。このＥＰＧによれば、各放送局が放送する番組内容が電子化されて放送上で配信されるため、視聴者は、ＥＰＧから視聴したい番組を選択したり、録画の予約を行ったりすることができる。
【０００８】
【特許文献１】特開平１０−２４７０９０号公報
【発明の開示】
【発明が解決しようとする課題】
【０００９】
しかしながら、従来においては、デジタル放送によって送信された歌詞情報をチューナ側で受信した後、この歌詞情報を独自に再利用することは行われていなかった。
【００１０】
この結果、歌詞をディスプレイ等の表示部に表示しながら楽曲を鑑賞することができるのは、デジタル放送の中に限られ、通常の音楽ＣＤや録音された楽曲を再生する場合には、ＣＤ等の規格として歌詞情報を表示部に表示させることはできなかった。
【００１１】
したがって、従来は、歌詞情報を表示しながら楽曲を鑑賞したい場合には、デジタル放送で、なおかつ歌詞情報を配信している放送を受信しなければならないといった不都合が生じていた。
【００１２】
そこで、本発明は、このような点に鑑みなされたものであり、デジタル放送によって送信された楽曲の歌詞情報を保存して有効に再利用することができ、当該歌詞情報をカラオケ等の娯楽の機能にも活用することができる歌詞情報取得システムおよびこれを備えた歌詞表示システムならびに歌詞情報取得方法およびこれを用いた歌詞表示方法を提供することを目的とするものである。
【課題を解決するための手段】
【００１３】
前述した目的を達成するため本発明に係る歌詞情報取得システムの特徴は、デジタル放送における楽曲の歌詞情報を配信している放送を受信する際に、当該歌詞情報を自動的に記憶装置に記録することによって、前記楽曲の歌詞情報を再利用可能な状態として取得可能とされている点にある。
【００１４】
そして、このような構成によれば、楽曲の歌詞情報を配信している放送を受信する際に、歌詞情報を自動的に再利用可能な状態として取得することが可能となる。
【００１５】
また、本発明に係る歌詞情報取得システムの特徴は、デジタル放送における楽曲の歌詞情報を配信している放送を受信する際に、当該歌詞情報および当該歌詞情報の表示の切り替わる時間を自動的に記憶装置に記録することによって、前記楽曲の歌詞情報を再利用可能な状態として取得可能とされている点にある。
【００１６】
そして、このような構成によれば、楽曲の歌詞情報を配信している放送を受信する際に、歌詞情報を当該歌詞情報の表示の切り替わる時間とともに自動的に再利用可能な状態として取得することが可能となる。
【００１７】
さらに、本発明に係る歌詞情報取得システムの特徴は、記憶装置に記録されている楽曲または現在再生されている楽曲と同一の楽曲の歌詞情報を配信するデジタル放送の番組が今後放送される予定があるか否かを検索可能とされ、前記番組が放送される予定がある場合には、当該番組の放送の受信を予約するとともに、当該番組の放送を受信する際に、前記楽曲の歌詞情報を自動的に記憶装置に記録することによって、前記楽曲の歌詞情報を再利用可能な状態として取得可能とされている点にある。
【００１８】
そして、このような構成によれば、ハードディスクドライブ等の記憶装置に記録されている楽曲や、ＣＤ等によって現在再生されている楽曲と同一の楽曲の歌詞情報を配信するデジタル放送の番組を検索し、当該番組の放送の受信を予約することによって、前記歌詞情報を事前に取得予約することができるとともに、番組の放送を受信する際に前記歌詞情報を自動的に再利用可能な状態として取得することが可能となる。
【００１９】
さらにまた、本発明に係る歌詞情報取得システムの特徴は、記憶装置に記録されている楽曲または現在再生されている楽曲と同一の楽曲の歌詞情報を配信するデジタル放送の番組が今後放送される予定があるか否かを検索可能とされ、前記番組が放送される予定がある場合には、当該番組の放送の受信を予約するとともに、当該番組の放送を受信する際に、前記楽曲の歌詞情報および当該歌詞情報の表示の切り替わる時間を自動的に記憶装置に記録することによって、前記楽曲の歌詞情報を再利用可能な状態として取得可能とされている点にある。
【００２０】
そして、このような構成によれば、ハードディスクドライブ等の記憶装置に記録されている楽曲や、ＣＤ等によって現在再生されている楽曲と同一の楽曲の歌詞情報を配信するデジタル放送の番組を検索し、当該番組の放送の受信を予約することによって、前記歌詞情報を事前に取得予約することができるとともに、番組の放送を受信する際に前記歌詞情報を当該歌詞情報の表示の切り替わる時間とともに自動的に再利用可能な状態として取得することが可能となる。
【００２１】
また、本発明に係る歌詞情報取得システムの特徴は、ＥＰＧを用いて前記番組の放送の有無を検索可能とされている点にある。
【００２２】
そして、このような構成によれば、ＥＰＧを有効に利用することによって、歌詞情報の取得予約を簡便かつ確実に行うことが可能となる。
【００２３】
さらに、本発明に係る歌詞情報取得システムの特徴は、デジタル放送において配信される楽曲の歌詞情報が既に取得されているか否かを判定し、取得されていない場合にのみ当該楽曲の歌詞情報を取得する点にある。
【００２４】
そして、このような構成によれば、未取得の歌詞情報のみを取得することが可能となる。
【００２５】
さらにまた、本発明に係る歌詞情報取得システムの特徴は、デジタル放送において配信される楽曲の歌詞情報が既に取得されているか否かを判定し、取得されていない場合にのみ当該楽曲の歌詞情報および当該歌詞情報の表示の切り替わる時間を取得する点にある。
【００２６】
そして、このような構成によれば、未取得の歌詞情報のみを当該歌詞情報の表示の切り替わる時間とともに取得することが可能となる。
【００２７】
また、本発明に係る歌詞表示システムの特徴は、デジタル放送における楽曲の歌詞情報を配信している放送を受信する際に、当該歌詞情報を自動的に記憶装置に記録することによって、前記楽曲の歌詞情報を再利用可能な状態として取得可能とされている歌詞情報取得システムを備え、前記楽曲と同一の楽曲を再生する際に、前記記憶装置に記録されている歌詞情報を表示部に表示可能とされている点にある。
【００２８】
そして、このような構成によれば、楽曲の歌詞情報を配信している放送を受信する際に、歌詞情報を自動的に再利用可能な状態として取得することができ、取得した歌詞情報を、楽曲の再生の際に、表示部に表示することが可能となる。
【００２９】
さらに、本発明に係る歌詞表示システムの特徴は、デジタル放送における楽曲の歌詞情報を配信している放送を受信する際に、当該歌詞情報および当該歌詞情報の表示の切り替わる時間を自動的に記憶装置に記録することによって、前記楽曲の歌詞情報を再利用可能な状態として取得可能とされている歌詞情報取得システムを備え、前記楽曲と同一の楽曲を再生する際に、前記記憶装置に記録されている歌詞情報を表示部に表示可能とされ、かつ、前記表示部に前記歌詞情報を表示する際に、前記記憶装置に記録されている当該歌詞情報についての表示の切り替わる時間に応じて、当該歌詞情報の表示を切り換えることが可能とされている点にある。
【００３０】
そして、このような構成によれば、楽曲の歌詞情報を配信している放送を受信する際に、歌詞情報を当該歌詞情報の表示の切り替わる時間とともに自動的に再利用可能な状態として取得することができ、取得した歌詞情報を、楽曲の再生の際に、表示部に適切な表示の切り替えタイミングにしたがって表示することが可能となる。
【００３１】
さらにまた、本発明に係る歌詞表示システムの特徴は、記憶装置に記録されている楽曲または現在再生されている楽曲と同一の楽曲の歌詞情報を配信するデジタル放送の番組が今後放送される予定があるか否かを検索可能とされ、前記番組が放送される予定がある場合には、当該番組の放送の受信を予約するとともに、当該番組の放送を受信する際に前記楽曲の歌詞情報を自動的に記憶装置に記録することによって、前記楽曲の歌詞情報を再利用可能な状態として取得可能とされている歌詞情報取得システムを備え、この取得した歌詞情報を前記楽曲を再生する際に表示部に表示可能とされている点にある。
【００３２】
そして、このような構成によれば、ハードディスクドライブ等の記憶装置に記録されている楽曲や、ＣＤ等によって現在再生されている楽曲と同一の楽曲の歌詞情報を配信するデジタル放送の番組を検索し、当該番組の放送の受信を予約することによって、前記歌詞情報を事前に取得予約することができるとともに、番組の放送を受信する際に前記歌詞情報を自動的に再利用可能な状態として取得することが可能となる。そして、取得した歌詞情報を、楽曲を再生する際に表示部に表示することが可能となる。
【００３３】
また、本発明に係る歌詞表示システムの特徴は、記憶装置に記録されている楽曲または現在再生されている楽曲と同一の楽曲の歌詞情報を配信するデジタル放送の番組が今後放送される予定があるか否かを検索可能とされ、前記番組が放送される予定がある場合には、当該番組の放送の受信を予約するとともに、当該番組の放送を受信する際に前記楽曲の歌詞情報および当該歌詞情報の表示の切り替わる時間を自動的に記憶装置に記録することによって、前記楽曲の歌詞情報を再利用可能な状態として取得可能とされている歌詞情報取得システムを備え、この取得した歌詞情報を前記楽曲を再生する際に表示部に表示可能とされ、かつ、前記表示部に前記歌詞情報を表示する際に、前記記憶装置に記録されている当該歌詞情報についての表示の切り替わる時間に応じて、当該歌詞情報の表示を切り換えることが可能とされている点にある。
【００３４】
そして、このような構成によれば、ハードディスクドライブ等の記憶装置に記録されている楽曲や、ＣＤ等によって現在再生されている楽曲と同一の楽曲の歌詞情報を配信するデジタル放送の番組を検索し、当該番組の放送の受信を予約することによって、前記歌詞情報を事前に取得予約することができるとともに、番組の放送を受信する際に前記歌詞情報を当該歌詞情報の表示の切り替わる時間とともに自動的に再利用可能な状態として取得することが可能となる。そして、取得した歌詞情報を、楽曲を再生する際に表示部に適切な表示の切り換えタイミングにしたがって表示することが可能となる。
【００３５】
さらに、本発明に係る歌詞表示システムの特徴は、歌詞情報取得システムが、ＥＰＧを用いて番組の放送の有無を検索可能とされている点にある。
【００３６】
そして、このような構成によれば、ＥＰＧを有効に利用することによって、歌詞情報の取得予約を簡便かつ確実に行うことが可能となる。
【００３７】
さらにまた、本発明に係る歌詞表示システムの特徴は、歌詞情報取得システムが、デジタル放送において配信される楽曲の歌詞情報が既に取得されているか否かを判定し、取得されていない場合にのみ当該楽曲の歌詞情報を取得する点にある。
【００３８】
そして、このような構成によれば、未取得の歌詞情報のみを取得して楽曲を再生する際に表示部に表示することが可能となる。
【００３９】
また、本発明に係る歌詞表示システムの特徴は、歌詞情報取得システムが、デジタル放送において配信される楽曲の歌詞情報が既に取得されているか否かを判定し、取得されていない場合にのみ当該楽曲の歌詞情報および当該歌詞情報の表示の切り替わる時間を取得する点にある。
【００４０】
そして、このような構成によれば、未取得の歌詞情報のみを当該歌詞情報の表示の切り替わる時間とともに取得して楽曲を再生する際に表示部に表示することが可能となる。
【００４１】
さらに、本発明に係る歌詞情報取得方法の特徴は、デジタル放送における楽曲の歌詞情報を配信している放送を受信する際に、当該歌詞情報を自動的に記憶装置に記録することによって、前記楽曲の歌詞情報を再利用可能な状態として取得する点にある。
【００４２】
そして、このような方法によれば、楽曲の歌詞情報を配信している放送を受信する際に、歌詞情報を自動的に再利用可能な状態として取得することが可能となる。
【００４３】
さらにまた、本発明に係る歌詞情報取得方法の特徴は、デジタル放送における楽曲の歌詞情報を配信している放送を受信する際に、当該歌詞情報および当該歌詞情報の表示の切り替わる時間を自動的に記憶装置に記録することによって、前記楽曲の歌詞情報を再利用可能な状態として取得する点にある。
【００４４】
そして、このような方法によれば、楽曲の歌詞情報を配信している放送を受信する際に、歌詞情報を当該歌詞情報の表示の切り替わる時間とともに自動的に再利用可能な状態として取得することが可能となる。
【００４５】
また、本発明に係る歌詞情報取得方法の特徴は、記憶装置に記録されている楽曲または現在再生されている楽曲と同一の楽曲の歌詞情報を配信するデジタル放送の番組が今後放送される予定があるか否かを検索し、当該番組が放送される予定がある場合には、当該番組の放送の受信を予約するとともに、当該番組の放送を受信する際に前記楽曲の歌詞情報を自動的に記憶装置に記録することによって、前記楽曲の歌詞情報を再利用可能な状態として取得する点にある。
【００４６】
そして、このような方法によれば、ハードディスクドライブ等の記憶装置に記録されている楽曲や、ＣＤ等によって現在再生されている楽曲と同一の楽曲の歌詞情報を配信するデジタル放送の番組を検索し、当該番組の放送の受信を予約することによって、前記歌詞情報を事前に取得予約することができるとともに、番組の放送を受信する際に前記歌詞情報を自動的に再利用可能な状態として取得することが可能となる。
【００４７】
さらに、本発明に係る歌詞情報取得方法の特徴は、記憶装置に記録されている楽曲または現在再生されている楽曲と同一の楽曲の歌詞情報を配信するデジタル放送の番組が今後放送される予定があるか否かを検索し、当該番組が放送される予定がある場合には、当該番組の放送の受信を予約するとともに、当該番組の放送を受信する際に前記楽曲の歌詞情報および当該歌詞情報の表示の切り替わる時間を自動的に記憶装置に記録することによって、前記楽曲の歌詞情報を再利用可能な状態として取得する点にある。
【００４８】
そして、このような方法によれば、ハードディスクドライブ等の記憶装置に記録されている楽曲や、ＣＤ等によって現在再生されている楽曲と同一の楽曲の歌詞情報を配信するデジタル放送の番組を検索し、当該番組の放送の受信を予約することによって、前記歌詞情報を事前に取得予約することができるとともに、番組の放送を受信する際に前記歌詞情報を当該歌詞情報の表示の切り替わる時間とともに自動的に再利用可能な状態として取得することが可能となる。
【００４９】
さらにまた、本発明に係る歌詞情報取得方法の特徴は、ＥＰＧを用いて番組の放送の有無を検索する点にある。
【００５０】
そして、このような方法によれば、ＥＰＧを有効に利用することによって、歌詞情報の取得予約を簡便かつ確実に行うことが可能となる。
【００５１】
また、本発明に係る歌詞情報取得方法の特徴は、デジタル放送において配信される楽曲の歌詞情報が既に取得されているか否かを判定し、取得されていない場合にのみ当該楽曲の歌詞情報を取得する点にある。
【００５２】
そして、このような方法によれば、未取得の歌詞情報のみを取得することが可能となる。
【００５３】
さらに、本発明に係る歌詞情報取得方法の特徴は、デジタル放送において配信される楽曲の歌詞情報が既に取得されているか否かを判定し、取得されていない場合にのみ当該楽曲の歌詞情報および当該歌詞情報の表示の切り替わる時間を取得する点にある。
【００５４】
そして、このような方法によれば、未取得の歌詞情報のみを当該歌詞情報の表示の切り替わる時間とともに取得することが可能となる。
【００５５】
さらにまた、本発明に係る歌詞表示方法の特徴は、デジタル放送における楽曲の歌詞情報を配信している放送を受信する際に、当該歌詞情報を自動的に記憶装置に記録することによって、前記楽曲の歌詞情報を再利用可能な状態として取得し、前記楽曲と同一の楽曲を再生する際に、前記記憶装置に記録されている歌詞情報を表示部に表示する点にある。
【００５６】
そして、このような方法によれば、楽曲の歌詞情報を配信している放送を受信する際に、歌詞情報を自動的に再利用可能な状態として取得することができ、取得した歌詞情報を、楽曲の再生の際に、表示部に表示することが可能となる。
【００５７】
また、本発明に係る歌詞表示方法の特徴は、デジタル放送における楽曲の歌詞情報を配信している放送を受信する際に、当該歌詞情報および当該歌詞情報の表示の切り替わる時間を自動的に記憶装置に記録することによって、前記楽曲の歌詞情報を再利用可能な状態として取得し、前記楽曲と同一の楽曲を再生する際に、前記記憶装置に記録されている歌詞情報を表示部に表示し、かつ、前記表示部に前記歌詞情報を表示する際に、前記記憶装置に記録されている当該歌詞情報についての表示の切り替わる時間に応じて、当該歌詞情報の表示を切り換える点にある。
【００５８】
そして、このような方法によれば、楽曲の歌詞情報を配信している放送を受信する際に、歌詞情報を当該歌詞情報の表示の切り替わる時間とともに自動的に再利用可能な状態として取得することができ、取得した歌詞情報を、楽曲の再生の際に、表示部に適切な表示の切り換えタイミングにしたがって表示することが可能となる。
【００５９】
さらに、本発明に係る歌詞表示方法の特徴は、記憶装置に記録されている楽曲または現在再生されている楽曲と同一の楽曲の歌詞情報を配信するデジタル放送の番組が今後放送される予定があるか否かを検索し、当該番組が放送される予定がある場合には、当該番組の放送の受信を予約するとともに、当該番組の放送を受信する際に前記楽曲の歌詞情報を自動的に記憶装置に記録することによって、前記楽曲の歌詞情報を再利用可能な状態として取得し、この取得した歌詞情報を前記楽曲を再生する際に表示部に表示する点にある。
【００６０】
そして、このような方法によれば、ハードディスクドライブ等の記憶装置に記録されている楽曲や、ＣＤ等によって現在再生されている楽曲と同一の楽曲の歌詞情報を配信するデジタル放送の番組を検索し、当該番組の放送の受信を予約することによって、前記歌詞情報を事前に取得予約することができるとともに、番組の放送を受信する際に前記歌詞情報を自動的に再利用可能な状態として取得することが可能となる。そして、取得した歌詞情報を、楽曲を再生する際に表示部に表示することが可能となる。
【００６１】
さらにまた、本発明に係る歌詞表示方法の特徴は、記憶装置に記録されている楽曲または現在再生されている楽曲と同一の楽曲の歌詞情報を配信するデジタル放送の番組が今後放送される予定があるか否かを検索し、当該番組が放送される予定がある場合には、当該番組の放送の受信を予約するとともに、当該番組の放送を受信する際に前記楽曲の歌詞情報および当該歌詞情報の表示の切り替わる時間を自動的に記憶装置に記録することによって、前記楽曲の歌詞情報を再利用可能な状態として取得し、この取得した歌詞情報を前記楽曲を再生する際に表示部に表示し、かつ、前記表示部に前記歌詞情報を表示する際に、前記記憶装置に記録されている当該歌詞情報についての表示の切り替わる時間に応じて、当該歌詞情報の表示を切り換える点にある。
【００６２】
そして、このような方法によれば、ハードディスクドライブ等の記憶装置に記録されている楽曲や、ＣＤ等によって現在再生されている楽曲と同一の楽曲の歌詞情報を配信するデジタル放送の番組を検索し、当該番組の放送の受信を予約することによって、前記歌詞情報を事前に取得予約することができるとともに、番組の放送を受信する際に前記歌詞情報を当該歌詞情報の表示の切り替わる時間とともに自動的に再利用可能な状態として取得することが可能となる。そして、取得した歌詞情報を、楽曲を再生する際に表示部に適切な表示の切り換えタイミングにしたがって表示することが可能となる。
【００６３】
また、本発明に係る歌詞表示方法の特徴は、ＥＰＧを用いて前記番組の放送の有無を検索する点にある。
【００６４】
そして、このような方法によれば、ＥＰＧを有効に利用することによって、歌詞情報の取得予約を簡便かつ確実に行うことが可能となる。
【００６５】
さらに、本発明に係る歌詞表示方法の特徴は、デジタル放送において配信される楽曲の歌詞情報が既に取得されているか否かを判定し、取得されていない場合にのみ当該楽曲の歌詞情報を取得する点にある。
【００６６】
そして、このような方法によれば、未取得の歌詞情報のみを取得して楽曲を再生する際に表示部に表示することが可能となる。
【００６７】
さらにまた、本発明に係る歌詞表示方法の特徴は、デジタル放送において配信される楽曲の歌詞情報が既に取得されているか否かを判定し、取得されていない場合にのみ当該楽曲の歌詞情報および当該歌詞情報の表示の切り替わる時間を取得する点にある。
【００６８】
そして、このような方法によれば、未取得の歌詞情報のみを当該歌詞情報の表示の切り替わる時間とともに取得して楽曲を再生する際に表示部に表示することが可能となる。
【発明の効果】
【００６９】
本発明に係る歌詞情報取得システムによれば、楽曲の歌詞情報を配信している放送を受信する際に、歌詞情報を自動的に再利用可能な状態として取得することができる結果、デジタル放送によって送信された楽曲の歌詞情報を保存して有効に再利用することができ、当該歌詞情報をカラオケ等の娯楽の機能にも活用することができる歌詞情報取得システムを実現することができる。
【００７０】
また、本発明に係る歌詞情報取得システムによれば、楽曲の歌詞情報を配信している放送を受信する際に、歌詞情報を当該歌詞情報の表示の切り替わる時間とともに自動的に再利用可能な状態として取得することができる結果、デジタル放送によって送信された楽曲の歌詞情報を保存してより有効に再利用することができ、当該歌詞情報をカラオケ等の娯楽の機能にも活用することができる歌詞情報取得システムを実現することができる。
【００７１】
さらに、本発明に係る歌詞情報取得システムによれば、ハードディスクドライブ等の記憶装置に記録されている楽曲や、ＣＤ等によって現在再生されている楽曲と同一の楽曲の歌詞情報を配信するデジタル放送の番組を検索し、当該番組の放送の受信を予約することによって、前記歌詞情報を事前に取得予約することができるとともに、番組の放送を受信する際に前記歌詞情報を自動的に再利用可能な状態として取得することができる結果、デジタル放送によって送信された楽曲の歌詞情報を保存して有効に再利用することができ、当該歌詞情報をカラオケ等の娯楽の機能にも活用することができる歌詞情報取得システムを実現することができる。
【００７２】
さらにまた、本発明に係る歌詞情報取得システムによれば、ハードディスクドライブ等の記憶装置に記録されている楽曲や、ＣＤ等によって現在再生されている楽曲と同一の楽曲の歌詞情報を配信するデジタル放送の番組を検索し、当該番組の放送の受信を予約することによって、前記歌詞情報を事前に取得予約することができるとともに、番組の放送を受信する際に前記歌詞情報を当該歌詞情報の表示の切り替わる時間とともに自動的に再利用可能な状態として取得することができる結果、デジタル放送によって送信された楽曲の歌詞情報を保存してより有効に再利用することができ、当該歌詞情報をカラオケ等の娯楽の機能にも活用することができる歌詞情報取得システムを実現することができる。
【００７３】
また、本発明に係る歌詞情報取得システムによれば、ＥＰＧを有効に利用することによって、歌詞情報の取得予約を簡便かつ確実に行うことができる結果、さらにコストを削減することができる歌詞情報取得システムを実現することができる。
【００７４】
さらに、本発明に係る歌詞情報取得システムによれば、未取得の歌詞情報のみを取得することができる結果、さらにメモリ容量を削減することができる経済的な歌詞情報取得システムを実現することができる。
【００７５】
さらにまた、本発明に係る歌詞情報取得システムによれば、未取得の歌詞情報のみを当該歌詞情報の表示の切り替わる時間とともに取得することができる結果、さらにメモリ容量を削減することができる経済的な歌詞情報取得システムを実現することができる。
【００７６】
また、本発明に係る歌詞表示システムによれば、楽曲の歌詞情報を配信している放送を受信する際に、歌詞情報を自動的に取得することができ、取得した歌詞情報を、楽曲の再生の際に表示部に適切な表示の切り換えタイミングにしたがって表示することができる結果、デジタル放送によって送信された楽曲の歌詞情報を保存して有効に再利用することができ、当該歌詞情報をカラオケ等の娯楽の機能にも活用することができる歌詞表示システムを実現することができる。
【００７７】
さらに、本発明に係る歌詞表示システムによれば、楽曲の歌詞情報を配信している放送を受信する際に、歌詞情報を当該歌詞情報の表示の切り替わる時間とともに自動的に取得することができ、取得した歌詞情報を、楽曲の再生の際に表示部に適切な表示の切り換えタイミングにしたがって表示することができる結果、デジタル放送によって送信された楽曲の歌詞情報を保存してより有効に再利用することができ、当該歌詞情報をカラオケ等の娯楽の機能にも活用することができる歌詞表示システムを実現することができる。
【００７８】
さらにまた、本発明に係る歌詞表示システムによれば、ハードディスクドライブ等の記憶装置に記録されている楽曲や、ＣＤ等によって現在再生されている楽曲と同一の楽曲の歌詞情報を配信するデジタル放送の番組を検索し、当該番組の放送の受信を予約することによって、前記歌詞情報を事前に取得予約することができるとともに、番組の放送を受信する際に前記歌詞情報を自動的に取得することができ、取得した歌詞情報を、楽曲を再生する際に表示部に適切な表示の切り換えタイミングにしたがって表示することができる結果、デジタル放送によって送信された楽曲の歌詞情報を保存して有効に再利用することができ、当該歌詞情報をカラオケ等の娯楽の機能にも活用することができる歌詞表示システムを実現することができる。
【００７９】
さらに、本発明に係る歌詞表示システムによれば、ハードディスクドライブ等の記憶装置に記録されている楽曲や、ＣＤ等によって現在再生されている楽曲と同一の楽曲の歌詞情報を配信するデジタル放送の番組を検索し、当該番組の放送の受信を予約することによって、前記歌詞情報を事前に取得予約することができるとともに、番組の放送を受信する際に前記歌詞情報を当該歌詞情報の表示の切り替わる時間とともに自動的に取得することができ、取得した歌詞情報を、楽曲を再生する際に表示部に適切な表示の切り換えタイミングにしたがって表示することができる結果、デジタル放送によって送信された楽曲の歌詞情報を保存してより有効に再利用することができ、当該歌詞情報をカラオケ等の娯楽の機能にも活用することができる歌詞表示システムを実現することができる。
【００８０】
さらにまた、本発明に係る歌詞表示システムによれば、ＥＰＧを有効に利用することによって、歌詞情報の取得予約を簡便かつ確実に行うことができる結果、さらにコストを削減することができる歌詞表示システムを実現することができる。
【００８１】
また、本発明に係る歌詞表示システムによれば、未取得の歌詞情報のみを取得して楽曲を再生する際に表示部に表示することができる結果、さらにメモリ容量を削減することができる経済的な歌詞情報取得システムを実現することができる。
【００８２】
さらに、本発明に係る歌詞表示システムによれば、未取得の歌詞情報のみを当該歌詞情報の表示の切り替わる時間とともに取得して楽曲を再生する際に表示部に表示することができる結果、さらにメモリ容量を削減することができる経済的な歌詞情報取得システムを実現することができる。
【００８３】
さらにまた、本発明に係る歌詞情報取得方法によれば、楽曲の歌詞情報を配信している放送を受信する際に、歌詞情報を自動的に再利用可能な状態として取得することができる結果、デジタル放送によって送信された楽曲の歌詞情報を保存して有効に再利用することができ、当該歌詞情報をカラオケ等の娯楽の機能にも活用することができる歌詞情報取得方法を実現することができる。
【００８４】
また、本発明に係る歌詞情報取得方法によれば、楽曲の歌詞情報を配信している放送を受信する際に、歌詞情報を当該歌詞情報の表示の切り替わる時間とともに自動的に再利用可能な状態として取得することができる結果、デジタル放送によって送信された楽曲の歌詞情報を保存してより有効に再利用することができ、当該歌詞情報をカラオケ等の娯楽の機能にも活用することができる歌詞情報取得方法を実現することができる。
【００８５】
さらに、本発明に係る歌詞情報取得方法によれば、ハードディスクドライブ等の記憶装置に記録されている楽曲や、ＣＤ等によって現在再生されている楽曲と同一の楽曲の歌詞情報を配信するデジタル放送の番組を検索し、当該番組の放送の受信を予約することによって、前記歌詞情報を事前に取得予約することができるとともに、番組の放送を受信する際に前記歌詞情報を自動的に再利用可能な状態として取得することができる結果、デジタル放送によって送信された楽曲の歌詞情報を保存して有効に再利用することができ、当該歌詞情報をカラオケ等の娯楽の機能にも活用することができる歌詞情報取得方法を実現することができる。
【００８６】
さらにまた、本発明に係る歌詞情報取得方法によれば、ハードディスクドライブ等の記憶装置に記録されている楽曲や、ＣＤ等によって現在再生されている楽曲と同一の楽曲の歌詞情報を配信するデジタル放送の番組を検索し、当該番組の放送の受信を予約することによって、前記歌詞情報を事前に取得予約することができるとともに、番組の放送を受信する際に前記歌詞情報を当該歌詞情報の表示の切り替わる時間とともに自動的に再利用可能な状態として取得することができる結果、デジタル放送によって送信された楽曲の歌詞情報を保存してより有効に再利用することができ、当該歌詞情報をカラオケ等の娯楽の機能にも活用することができる歌詞情報取得方法を実現することができる。
【００８７】
また、本発明に係る歌詞情報取得方法によれば、ＥＰＧを有効に利用することによって、歌詞情報の取得予約を簡便かつ確実に行うことができる結果、さらにコストを削減することができる歌詞情報取得方法を実現することができる。
【００８８】
さらに、本発明に係る歌詞情報取得方法によれば、未取得の歌詞情報のみを取得することができる結果、さらにメモリ容量を削減することができる経済的な歌詞情報取得方法を実現することができる。
【００８９】
さらにまた、本発明に係る歌詞情報取得方法によれば、未取得の歌詞情報のみを当該歌詞情報の表示の切り替わる時間とともに取得することができる結果、さらにメモリ容量を削減することができる経済的な歌詞情報取得方法を実現することができる。
【００９０】
また、本発明に係る歌詞表示方法によれば、楽曲の歌詞情報を配信している放送を受信する際に、歌詞情報を自動的に再利用可能な状態として取得することができ、取得した歌詞情報を、楽曲の再生の際に表示部に適切な表示の切り換えタイミングにしたがって表示することができる結果、デジタル放送によって送信された楽曲の歌詞情報を保存して有効に再利用することができ、当該歌詞情報をカラオケ等の娯楽の機能にも活用することができる歌詞表示方法を実現することができる。
【００９１】
さらに、本発明に係る歌詞表示方法によれば、楽曲の歌詞情報を配信している放送を受信する際に、歌詞情報を当該歌詞情報の表示の切り替わる時間とともに自動的に再利用可能な状態として取得することができ、取得した歌詞情報を、楽曲の再生の際に表示部に適切な表示の切り換えタイミングにしたがって表示することができる結果、デジタル放送によって送信された楽曲の歌詞情報を保存してより有効に再利用することができ、当該歌詞情報をカラオケ等の娯楽の機能にも活用することができる歌詞表示方法を実現することができる。
【００９２】
さらにまた、本発明に係る歌詞表示方法によれば、ハードディスクドライブ等の記憶装置に記録されている楽曲や、ＣＤ等によって現在再生されている楽曲と同一の楽曲の歌詞情報を配信するデジタル放送の番組を検索し、当該番組の放送の受信を予約することによって、前記歌詞情報を事前に取得予約することができるとともに、番組の放送を受信する際に前記歌詞情報を自動的に再利用可能な状態として取得することができ、取得した歌詞情報を、楽曲を再生する際に表示部に適切な表示の切り換えタイミングにしたがって表示することができる結果、デジタル放送によって送信された楽曲の歌詞情報を保存して有効に再利用することができ、当該歌詞情報をカラオケ等の娯楽の機能にも活用することができる歌詞表示方法を実現することができる。
【００９３】
また、本発明に係る歌詞表示方法によれば、ハードディスクドライブ等の記憶装置に記録されている楽曲や、ＣＤ等によって現在再生されている楽曲と同一の楽曲の歌詞情報を配信するデジタル放送の番組を検索し、当該番組の放送の受信を予約することによって、前記歌詞情報を事前に取得予約することができるとともに、番組の放送を受信する際に前記歌詞情報を当該歌詞情報の表示の切り替わる時間とともに自動的に再利用可能な状態として取得することができ、取得した歌詞情報を、楽曲を再生する際に表示部に適切な表示の切り換えタイミングにしたがって表示することができる結果、デジタル放送によって送信された楽曲の歌詞情報を保存してより有効に再利用することができ、当該歌詞情報をカラオケ等の娯楽の機能にも活用することができる歌詞表示方法を実現することができる。
【００９４】
さらに、本発明に係る歌詞表示方法によれば、ＥＰＧを有効に利用することによって、歌詞情報の取得予約を簡便かつ確実に行うことができる結果、さらにコストを削減することができる歌詞表示方法を実現することができる。
【００９５】
さらにまた、本発明に係る歌詞表示方法によれば、未取得の歌詞情報のみを取得して楽曲を再生する際に表示部に表示することができる結果、さらにメモリ容量を削減することができる経済的な歌詞表示方法を実現することができる。
【００９６】
また、本発明に係る歌詞表示方法によれば、未取得の歌詞情報のみを当該歌詞情報の表示の切り替わる時間とともに取得して楽曲を再生する際に表示部に表示することができる結果、さらにメモリ容量を削減することができる経済的な歌詞表示方法を実現することができる。
【発明を実施するための最良の形態】
【００９７】
以下、本発明に係る歌詞情報取得システムを備えた歌詞表示システムの第１実施形態について、図１を参照して説明する。
【００９８】
図１に示すように、本実施形態における歌詞表示システム１は、歌詞情報取得システム２を有している。
【００９９】
歌詞情報取得システム２は、デジタル放送データを受信可能とされたデジタル放送チューナ３を有しており、このデジタル放送チューナ３は、受信したデジタル放送データをその都度システムの内部に出力するようになっている。
【０１００】
なお、デジタル放送データには、楽曲データとしての圧縮オーディオデータ（映像を含む）、楽曲データと独立した文字データである歌詞情報、歌詞情報の表示の切り替わる時間についてのデータ、楽曲の曲名やアーティスト名のデータおよびＥＰＧデータ等が適宜含まれる。
【０１０１】
デジタル放送チューナ３の出力側には、マイクロプロセッサ４が接続されており、このマイクロプロセッサ４は、デジタル放送チューナ３から出力されたデジタル放送データを入力するとともに、この入力したデジタル放送データを、バッファリングのためにさらに出力するようになっている。
【０１０２】
マイクロプロセッサ４には、ＣＤ／ＤＶＤメカ５が接続されており、このＣＤ／ＤＶＤメカ５は、マイクロプロセッサ４の制御によって、オーディオＣＤのオーディオデータや圧縮オーディオデータ等の楽曲データを再生するようになっている。
【０１０３】
また、マイクロプロセッサ４には、外部メモリ６が接続されており、この外部メモリ６は、マイクロプロセッサ４から出力されたデジタル放送データをバッファリングすることによって一時的に保存するようになっている。
【０１０４】
さらにまた、マイクロプロセッサ４には、記憶装置としてのハードディスクドライブ（ＨＤＤ）７が接続されており、このハードディスクドライブ７には、マイクロプロセッサ４の制御によって、歌詞情報が、当該歌詞情報の表示の切り替わる時間についてのデータとともに記録されるようになっている。
【０１０５】
これにより、マイクロプロセッサ４に入力された歌詞情報が、自動的に再利用可能な状態として取得されるようになっている。
【０１０６】
さらに、本実施形態において、マイクロプロセッサ４は、デジタル放送データに含まれる歌詞情報が既にハードディスクドライブ７に取得されているか否かを判定し、取得されていない場合にのみ、受信した歌詞情報および当該歌詞情報の表示の切り替わる時間についてのデータをバッファリングする制御を行うようになっている。
【０１０７】
これによって、未取得の歌詞情報のみを再利用可能な状態として取得することができるようになっている。
【０１０８】
また、ハードディスクドライブ７には、ＣＤ／ＤＶＤメカ５によって再生される楽曲データとしての圧縮オーディオデータが記録されている。
【０１０９】
マイクロプロセッサ４には、デコーダ８が接続されており、このデコーダ８は、マイクロプロセッサ４の制御によって、受信されたデジタル放送データや、ＣＤ／ＤＶＤメカ５によって再生される圧縮オーディオデータ等に対する解凍処理を行うようになっている。
【０１１０】
解凍処理が行われた解凍データは、デコーダ８からマイクロプロセッサ４に対して出力されるようになっている。
【０１１１】
そして、デコーダ８からマイクロプロセッサ４に対して出力された解凍データは、マイクロプロセッサ４によってさらに出力されて音声・映像出力に用いられるようになっている。
【０１１２】
上記の構成に加えて、さらに、本実施形態における歌詞表示システム１は、マイクロプロセッサ４の出力側に接続されたオーディオＤＳＰ（Digital Signal Processor）９を有している。
【０１１３】
このオーディオＤＳＰ９は、マイクロプロセッサ４から出力された解凍データに対して信号処理を施すとともに、信号処理を施した解凍データを出力するようになっている。
【０１１４】
オーディオＤＳＰ９の出力側には、スピーカ等の音声出力部１０が接続されており、この音声出力部１０は、オーディオＤＳＰ９から出力された解凍データに基づいて楽曲の音声出力を行うようになっている。
【０１１５】
さらに、本実施形態における歌詞表示システム１は、マイクロプロセッサ４の出力側にビデオＤＳＰ１１を有しており、このビデオＤＳＰ１１は、マイクロプロセッサ４から出力された解凍データに対して信号処理を施すとともに、信号処理を施した解凍データを出力するようになっている。
【０１１６】
ビデオＤＳＰ１１の出力側には、ディスプレイ等の表示部１２が接続されており、この表示部１２は、ビデオＤＳＰ１１から出力された解凍データに基づいて歌詞情報等を映像出力（表示）するようになっている。
【０１１７】
そして、本実施形態において、マイクロプロセッサ４は、ＣＤ／ＤＶＤメカ５によって楽曲を再生する際に、その楽曲と同一の楽曲の歌詞情報をハードディスクドライブ７から読み出して表示部１２に表示する制御を行うようになっている。
【０１１８】
その際に、マイクロプロセッサ４は、表示部１２に表示される歌詞情報についての表示の切り替わる時間についてのデータをハードディスクドライブ７から読み出し、当該表示の切り替わる時間に応じて、歌詞情報の表示を切り換える制御を行うようになっている。
【０１１９】
したがって、ＣＤ／ＤＶＤメカ５のようなデジタル放送以外の手段によって楽曲を再生する際に、デジタル放送を介して予め受信されている同一の楽曲の歌詞情報を表示部１２に適切な表示タイミングにしたがって表示することができ、歌詞情報を有効に再利用することができるようになっている。
【０１２０】
次に、本実施形態における歌詞表示システム１の作用として、本発明に係る歌詞情報取得方法および歌詞表示方法の第１実施形態について、図２を参照して説明する。
【０１２１】
本実施形態においては、まず、図２のステップ１（ＳＴ１）に示すように、デジタル放送チューナ３を介して歌詞情報が含まれる放送を当該歌詞情報の表示の切り替わる時間についてのデータとともに受信すると、受信された歌詞情報および当該歌詞情報の表示の切り替わる時間についてのデータが、デジタル放送チューナ３からマイクロプロセッサ４に対して出力される。
【０１２２】
次いで、ステップ２（ＳＴ２）においては、マイクロプロセッサ４により、ステップ１（ＳＴ１）において受信した歌詞情報が、既にハードディスクドライブ７に取得済みであるか否かを判断する。
【０１２３】
そして、ステップ１（ＳＴ１）において受信した歌詞情報が取得済みである場合には、当該歌詞情報および当該歌詞情報の表示の切り替わる時間についてのデータのバッファリングを行わずに処理を終了し、取得済みでない場合にはステップ３（ＳＴ３）に進む。
【０１２４】
ステップ３（ＳＴ３）においては、マイクロプロセッサ４の制御により、外部メモリ６に歌詞情報を当該歌詞情報の表示の切り替わる時間についてのデータとともに一時的に保存するバッファリングを開始する。
【０１２５】
次いで、ステップ４（ＳＴ４）においては、歌詞情報および当該歌詞情報の表示の切り替わる時間についてのデータが最後まで完全に受信されてバッファリングが適正に完了したか否かを判断し、バッファリングが適正に完了した場合には、ステップ５（ＳＴ５）に進み、適正に完了しなかった場合には、ステップ６（ＳＴ６）に進む。
【０１２６】
ステップ５（ＳＴ５）においては、マイクロプロセッサ４の制御により、バッファリング後の歌詞情報を当該歌詞情報の表示の切り替わる時間についてのデータとともにハードディスクドライブ７に記録する。
【０１２７】
これによって、デジタル放送によって受信された歌詞情報が、自動的に再利用可能な状態として取得される。
【０１２８】
歌詞情報および当該歌詞情報の表示の切り替わる時間についてのデータをハードディスクドライブ７に記録した後は、ステップ７（ＳＴ７）に進む。
【０１２９】
一方、ステップ６（ＳＴ６）においては、バッファリングが不完全であった歌詞情報および当該歌詞情報の表示の切り替わる時間についてのデータを破棄する。
【０１３０】
次に、ステップ７（ＳＴ７）においては、ＣＤ／ＤＶＤメカ５によって楽曲を再生する際に、再生する楽曲と同じ楽曲の歌詞情報がハードディスクドライブ７に記録されているか否かを判断し、記録されている場合にはステップ８（ＳＴ８）に進み、記録されていない場合には歌詞情報の表示は行わずに処理を終了する。
【０１３１】
ステップ８（ＳＴ８）においては、マイクロプロセッサ４の制御により、ＣＤ／ＤＶＤメカ５によって再生される楽曲と、ハードディスクドライブ７に記録されている前記再生される楽曲に一致する楽曲の歌詞情報とをリンクさせて、当該一致する楽曲の歌詞情報を表示部１２に表示する制御を行う。このとき、マイクロプロセッサ４の制御により、表示部１２に表示される歌詞情報についての表示の切り替わる時間についてのデータをハードディスクドライブ７から読み出し、当該表示の切り替わる時間に応じて、歌詞情報の表示を切り換える制御を行う。
【０１３２】
これにより、再生される楽曲に適合した歌詞情報を表示部１２に表示することができ、かつ、歌詞情報の表示の切り替えを、楽曲の進行に合わせて適切なタイミングで行うことができる。
【０１３３】
したがって、デジタル放送以外の方法によって歌詞情報を表示させながら楽曲を楽しむことができる。
【０１３４】
次に、本発明に係る歌詞情報取得システムを備えた歌詞表示システムの第２実施形態について説明する。
【０１３５】
なお、本実施形態における歌詞表示システム１は、外部的な構成は、第１実施形態と同様であるため、同一の符号を用いて説明する。
【０１３６】
本実施形態における歌詞表示システム１は、デジタル放送チューナ３を介して受信された歌詞情報および当該歌詞情報の表示の切り替わる時間についてのデータを、マイクロプロセッサ４の制御によってハードディスクドライブ７に記録することによって歌詞情報を再利用可能な状態として取得する点においては、第１実施形態と同様である。
【０１３７】
ただし、本実施形態における歌詞表示システム１は、以下に示すように、マイクロプロセッサ４の制御内容において第１実施形態と特徴的な差異を有している。
【０１３８】
すなわち、本実施形態において、マイクロプロセッサ４は、ハードディスクドライブ７に記録されている楽曲データ（圧縮オーディオデータ）またはＣＤ／ＤＶＤメカ５によって現在再生されている楽曲と同一の楽曲の歌詞情報を配信する番組が、デジタル放送において今後放送される予定があるか否かを検索するようになっている。
【０１３９】
なお、この検索は、例えば、ＥＰＧを更新した際に、歌詞情報を配信する番組の曲名やアーティスト名を取得した上で行うようにしてもよい。そのようにすれば、検索をさらに簡便に行うことができる。
【０１４０】
そして、マイクロプロセッサ４は、前記番組が放送される予定がある場合には、当該番組の放送の受信を予約することによって、歌詞情報の取得予約を行うようになっている。
【０１４１】
さらに、マイクロプロセッサ４は、当該番組の放送を受信する際に、前記楽曲の歌詞情報を当該歌詞情報の表示の切り替わる時間のデータとともに自動的にハードディスクドライブ７に記録する制御を行うようになっている。
【０１４２】
これによって、第１実施形態と同様に、楽曲の歌詞情報を再利用可能な状態として取得することができ、この取得した歌詞情報を、同一の楽曲を再生する際に表示部１２に適切な表示の切り替えタイミングにしたがって表示させることができるようになっている。
【０１４３】
さらに、マイクロプロセッサ４は、前記番組の放送の有無をＥＰＧを用いて検索するようになっている。
【０１４４】
これにより、歌詞情報の取得予約を簡便かつ確実に行うことができるようになっている。
【０１４５】
次に、本実施形態の作用として、本発明に係る歌詞情報取得方法および歌詞表示方法の第２実施形態について、図３および図４を参照して説明する。
【０１４６】
本実施形態においては、まず、図３のステップ１１（ＳＴ１１）に示すように、マイクロプロセッサ４の制御により、ＥＰＧが更新されたタイミングで、歌詞情報を配信する番組の曲名およびアーティスト名等の情報を取得する。
【０１４７】
次いで、ステップ１２（ＳＴ１２）においては、マイクロプロセッサ４によって、前記番組の楽曲がハードディスクドライブ７内の楽曲と一致するか否かを曲名やアーティスト名等の情報に基づいて判断し、一致する場合にはステップ１３（ＳＴ１３）に進み、一致しない場合にはステップ１６（ＳＴ１６）に進む。
【０１４８】
ステップ１３（ＳＴ１３）においては、前記番組の歌詞情報がハードディスクドライブ７に既に取得されているか否かを判断し、取得されている場合には処理を終了し、取得されていない場合にはステップ１４（ＳＴ１４）に進む。
【０１４９】
ステップ１４（ＳＴ１４）においては、歌詞情報取得予約をした後に、ステップ１５（ＳＴ１５）に進む。
【０１５０】
ステップ１５（ＳＴ１５）においては、デジタル放送データの受信開始時刻であるか否かを判断し、受信開始時刻である場合には、図４におけるステップ２１（ＳＴ２１）に進み、未だに受信開始時刻でない場合には、ステップ１５（ＳＴ１５）の判断を繰り返し行う。
【０１５１】
一方、ステップ１６（ＳＴ１６）においては、再生中のＣＤの有無を判断し、再生中のＣＤがある場合にはステップ１７（ＳＴ１７）に進み、再生中のＣＤがない場合には処理を終了する。
【０１５２】
ステップ１７（ＳＴ１７）においては、ＥＰＧの番組の楽曲が、再生中のＣＤの楽曲と一致するか否かを判断し、一致する場合にはステップ１８（ＳＴ１８）に進み、一致しない場合には処理を終了する。
【０１５３】
ステップ１８（ＳＴ１８）においては、前記番組の歌詞情報を、既にハードディスクドライブ１７によって取得済みであるか否かを判断し、取得済みである場合には処理を終了し、取得済みでない場合にはステップ１９（ＳＴ１９）に進む。
【０１５４】
ステップ１９（ＳＴ１９）においては、歌詞情報取得予約をした後に、ステップ２０（ＳＴ２０）に進む。
【０１５５】
ステップ２０（ＳＴ２０）においては、デジタル放送データの受信開始時刻であるか否かを判断し、受信開始時刻である場合には、図４におけるステップ２１（ＳＴ２１）に進み、未だに受信開始時刻にない場合には、ステップ２０（ＳＴ２０）の判断を繰り返し行う。
【０１５６】
次いで、図４のステップ２１（ＳＴ２１）においては、歌詞情報が含まれる放送をデジタル放送チューナ３を介して受信し、続くステップ２２（ＳＴ２２）においては、マイクロプロセッサ４の制御により、外部メモリ６による歌詞情報および当該歌詞情報の表示の切り替わる時間についてのデータのバッファリングを開始する。
【０１５７】
次いで、ステップ２３（ＳＴ２３）においては、歌詞情報および当該歌詞情報の表示の切り替わる時間についてのデータが最後まで完全に受信されてバッファリングが適正に完了したか否かを判断し、バッファリングが適正に完了した場合にはステップ２４（ＳＴ２４）に進み、適正に完了しなかった場合には、ステップ２５（ＳＴ２５）に進む。
【０１５８】
ステップ２４（ＳＴ２４）においては、マイクロプロセッサ４の制御により、バッファリング後の歌詞情報を、当該歌詞情報の表示の切り替わる時間についてのデータとともにハードディスクドライブ７に記録する。
【０１５９】
これによって、デジタル放送によって受信された歌詞情報が、自動的に再利用可能な状態として取得される。
【０１６０】
歌詞情報および当該歌詞情報の表示の切り替わる時間についてのデータをハードディスクドライブ７に記録した後は、ステップ２６（ＳＴ２６）に進む。
【０１６１】
一方、ステップ２５（ＳＴ２５）においては、バッファリングが不完全であった歌詞情報を破棄する。
【０１６２】
ステップ２６（ＳＴ２６）においては、マイクロプロセッサ４の制御により、ＣＤ／ＤＶＤメカ５によって再生される楽曲と、ハードディスクドライブ７内の前記再生される楽曲に一致する楽曲の歌詞情報とをリンクさせて、当該歌詞情報を表示部１２に表示する制御を行う。
【０１６３】
このとき、マイクロプロセッサ４の制御により、表示部１２に表示される歌詞情報についての表示の切り替わる時間についてのデータをハードディスクドライブ７から読み出し、当該表示の切り替わる時間に応じて、歌詞情報の表示を切り換える制御を行う。
【０１６４】
これにより、再生される楽曲に適合した歌詞情報を、楽曲の進行に合わせて適切な表示の切り替えタイミングにしたがって表示部１２に表示することができ、デジタル放送以外の方法によって歌詞情報を表示させながら楽曲を楽しむことができる。
【０１６５】
なお、本発明は、前述した実施の形態に限定されるものではなく、必要に応じて種々の変更が可能である。
【図面の簡単な説明】
【０１６６】
【図１】本発明に係る歌詞情報取得システムおよび歌詞表示システムの実施形態を示すブロック図
【図２】本発明に係る歌詞情報取得方法および歌詞表示方法の第１実施形態を示すフローチャート
【図３】本発明に係る歌詞情報取得方法および歌詞表示方法の第２実施形態を示すフローチャート
【図４】本発明に係る歌詞情報取得方法および歌詞表示方法の第２実施形態を示す図３の後続のフローチャート
【符号の説明】
【０１６７】
１  歌詞表示システム
２  歌詞情報取得システム
３  デジタル放送チューナ
４  マイクロプロセッサ
５  ＣＤ／ＤＶＤメカ
６  外部メモリ
７  ハードディスクドライブ
８  デコーダ
１１  ビデオＤＳＰ
１２  表示部
【図１】
2006040370.tif 000003
【図２】
2006040370.tif 000004
【図３】
2006040370.tif 000005
【図４】
2006040370.tif 000006